(57)【特許請求の範囲】
【請求項１】
１ロールの写真フイルムの磁気記録層に予め選択した機能に対応する磁気情報のみを記録し、該フイルムの磁気記録層に記録されていた前記選択した機能と異なる機能に対応する磁気情報を外部記録媒体に記録する磁気記録可能なフイルムのデータ保管方法において、
前記フイルムのリーダー部にフイルム識別情報を光学的又は磁気的に記録しておき、
前記フイルムから前記フイルム識別情報及び磁気情報を読み出し、
前記フイルムに記録する磁気情報を前記読み出した磁気情報と異なる機能に対応する磁気情報に変更する場合には、前記フイルム識別情報を検索情報として前記外部記録媒体に記録するとともに、該フイルム識別情報に基づいて指定された前記外部記録媒体の記憶領域に前記読み出した磁気情報を記録し、
前記フイルムに記録する磁気情報を前記読み出した磁気情報と異なる機能に対応する磁気情報に変更する場合で、前記フイルムに記録されているフイルム識別情報に基づいて前記外部記録媒体に選択した機能に対応する磁気情報が記憶されていることが判別された場合には、該フイルム識別情報に基づいて前記外部記録媒体から対応する磁気情報を読み出し、その磁気情報をそのまま又は編集したのち前記フイルムの磁気記録層に記録することを特徴とする磁気記録可能なフイルムのデータ保管方法。
【請求項２】
１ロールの写真フイルムの磁気記録層に予め選択した機能に対応する磁気情報のみを記録し、該フイルムの磁気記録層に記録されていた前記選択した機能と異なる機能に対応する磁気情報を外部記録媒体に記録する磁気記録可能なフイルムのデータ保管方法において、
前記フイルムのリーダー部に管理コードを磁気的に記録しておき、
前記フイルムから前記管理コード及び磁気情報を読み出し、
前記フイルムに記録する磁気情報を前記読み出した磁気情報と異なる機能に対応する磁気情報に変更する場合には、前記管理コードに基づいて指定された前記外部記録媒体の記憶領域に前記読み出した磁気情報を記録し、
前記フイルムに記録する磁気情報を前記読み出した磁気情報と異なる機能に対応する磁気情報に変更する場合で、前記フイルムに記録されている管理コードに基づいて前記外部記録媒体に選択した機能に対応する磁気情報が記憶されていることが判別された場合には、該管理コードに基づいて前記外部記録媒体から対応する磁気情報を読み出し、その磁気情報をそのまま又は編集したのち前記フイルムの磁気記録層に記録することを特徴とする磁気記録可能なフイルムのデータ保管方法。
【発明の詳細な説明】
【０００１】
【産業上の利用分野】
本発明は磁気記録可能なフイルムのデータ保管方法に係り、特に複数のフイルムに関する磁気情報を同一の外部記録媒体に保管する磁気記録可能なフイルムのデータ保管方法に関する。
【０００２】
【従来の技術】
従来、写真フイルムに透明磁性体を塗布して磁気記録層を形成し、カメラでの撮影時に磁気記録層の所定の磁気トラックに撮影データを記録するカメラが知られている（米国特許４８７８０７５号）。この種のカメラによれば、撮影日時、撮影フォーマット、フレームの縦横・上下左右、ストロボＯＮ／ＯＦＦ等を磁気トラックに記録することができる。
【０００３】
また、ラボ（現像所）からのフイルムの返却形態として、現像済みの１ロール分のフイルムをフイルムカートリッジに収納して返却することが提案されており、特開平５−７５９２２号公報に記載のフイルムプレーヤでは、このフイルムカーリッジを使用している。尚、フイルムプレーヤは、現像済みのスチル写真フイルムをイメージセンサで撮影し、写真フイルムの画像を画像信号に変換し、これをモニタＴＶに出力してフイルム画像を表示させるものである。
【０００４】
上記フイルムプレーヤ等を利用して、フイルムの各フレームに対応する磁気トラックにラボへの焼増し注文情報を記録したり、所望のフイルム画像を再生させるために必要な各種の再生情報や、フレーム画像を自動プリントするために必要な自動プリント情報等を記録することができる。
ところで、フイルムの各フレームに対応する磁気トラックは、トラック長さに制限があるため、フレームに関連する情報としては非常に少量の情報しか記録することができず、そのためラボサービスあるいはホームサービスを十分に受けられないという問題があった。
【０００５】
この問題を解決するために特願平６−１９４２７４号明細書において、フイルム先端のリーダートラックに特定の機能を示す機能選択コードし、各フレームトラックにはこの機能選択コードによって選択した機能に対応する磁気情報のみを記録することが提案されている。これによると各フレームトラックを機能別に利用することができ、磁気トラックの磁気記録容量内でも十分なサービスを受けることができる。
【０００６】
【発明が解決しようとする課題】
しかしながら、上記のように各フレームトラックに機能選択コードで選択した機能に対応する磁気情報のみを記録するようにした場合、フレームトラックに記録されている機能と異なる機能に対応する磁気情報を新たにフレームトラックに記録すると、もとの機能に対応する磁気情報が消去されてしまうという問題がある。もし、消去された磁気情報と同じ磁気情報が必要となったときにはフイルムプレーヤによって再度編集しなければならないという煩雑な手間を要する。
【０００７】
この問題は、磁気情報を記録しておく外部記録媒体を用意しておけば解決することができるが（特願平６−１９４２７４号明細書においても記載されている）、外部記録媒体に記録された情報の管理方法に関する具体的な提案はこれまでなされていない。
本発明はこのような事情に鑑みてなされたもので、フイルムの磁気記録層に記録されている磁気情報の外部記録媒体への保管、外部記録媒体からの所望のフイルムに関する磁気情報の読み出しを自動的に行うことを可能にした磁気記録可能なフイルムのデータ保管方法を提供することを目的とする。
【０００８】
【課題を解決するための手段】
本発明は前記目的を達成するために、１ロールの写真フイルムの磁気記録層に予め選択した機能に対応する磁気情報のみを記録し、該フイルムの磁気記録層に記録されていた前記選択した機能と異なる機能に対応する磁気情報を外部記録媒体に記録する磁気記録可能なフイルムのデータ保管方法において、前記フイルムのリーダー部にフイルム識別情報を光学的又は磁気的に記録しておき、前記フイルムから前記フイルム識別情報及び磁気情報を読み出し、前記フイルムに記録する磁気情報を前記読み出した磁気情報と異なる機能に対応する磁気情報に変更する場合には、前記フイルム識別情報を検索情報として前記外部記録媒体に記録するとともに、該フイルム識別情報に基づいて指定された前記外部記録媒体の記憶領域に前記読み出した磁気情報を記録し、前記フイルムに記録する磁気情報を前記読み出した磁気情報と異なる機能に対応する磁気情報に変更する場合で、前記フイルムに記録されているフイルム識別情報に基づいて前記外部記録媒体に選択した機能に対応する磁気情報が記憶されていることが判別された場合には、該フイルム識別情報に基づいて前記外部記録媒体から対応する磁気情報を読み出し、その磁気情報をそのまま又は編集したのち前記フイルムの磁気記録層に記録することを特徴としている。
【０００９】
また、前記磁気記録可能なフイルムのデータ保管方法において、前記フイルムのリーダー部に管理コードを磁気的に記録しておき、前記フイルムから前記管理コード及び磁気情報を読み出し、前記フイルムに記録する磁気情報を前記読み出した磁気情報と異なる機能に対応する磁気情報に変更する場合には、前記管理コードに基づいて指定された前記外部記録媒体の記憶領域に前記読み出した磁気情報を記録し、前記フイルムに記録する磁気情報を前記読み出した磁気情報と異なる機能に対応する磁気情報に変更する場合で、前記フイルムに記録されている管理コードに基づいて前記外部記録媒体に選択した機能に対応する磁気情報が記憶されていることが判別された場合には、該管理コードに基づいて前記外部記録媒体から対応する磁気情報を読み出し、その磁気情報をそのまま又は編集したのち前記フイルムの磁気記録層に記録することを特徴としている。
【００１０】
【作用】
本発明によれば、１ロールの写真フイルムの磁気記録層に予め選択した機能に対応する磁気情報のみを記録し、該フイルムの磁気記録層に記録されていた前記選択した機能と異なる機能に対応する磁気情報を外部記録媒体に記録するようにしている。そこで、前記フイルムのリーダー部にフイルム識別情報を光学的又は磁気的に記録しておき、前記フイルムから前記フイルム識別情報及び磁気情報を読み出し、前記読み出した磁気情報を異なる機能に対応する磁気情報に変更する場合には、前記フイルム識別情報を検索情報として前記外部記録媒体に記録するとともに、該フイルム識別情報に基づいて指定された前記外部記録媒体の記憶領域に前記読み出した磁気情報を記録する。前記読み出した磁気情報を異なる機能に対応する磁気情報に変更する場合において、前記フイルムに記録されているフイルム識別情報に基づいて前記外部記録媒体に選択した機能に対応する磁気情報が記憶されていることが判別されると、該フイルム識別情報に基づいて前記外部記録媒体から対応する磁気情報を読み出し、その磁気情報をそのまま又は編集したのち前記フイルムの磁気記録層に記録する。
【００１１】
本発明の他の態様によれば、上記フイルム識別情報の代わりに管理コードをフイルムのリーダー部に磁気的に記録する。この管理コードは外部記録媒体の所定メモリと対応づけられており、管理コードに基づいて外部記録媒体の記憶領域を指定することができる。
以上によって、フイルムの磁気記録層に記録されている磁気情報を異なる機能に対応する磁気情報に変更する際に、このフイルムの磁気記録層に記録されている磁気情報が自動的に外部記録媒体に保管されるとともに、変更する機能に対応する磁気情報が外部記録媒体に保管されていた場合にはこの磁気情報が自動的に外部記録媒体から読み出されるようになる。
【００１２】
【実施例】
以下添付図面に従って本発明に係る磁気記録可能なフイルムのデータ保管方法の好ましい実施例を詳説する。
図１は本発明が適用されるフイルムプレーヤの外観図である。同図に示すように、このフイルムプレーヤ１００は直方体状に形成され、その前面にはフイルムカートリッジトレー１０２及び電源スイッチ１０４が設けられている。フイルムカートリッジトレー１０２は、フイルムカートリッジ１１０のローディング／アンローディング時に前後方向に進退駆動され、これよりフイルムカートリッジ１１０の収納または取出しが行われる。
【００１３】
フイルムプレーヤ１００にはキーパッド１２０及びモニタＴＶ１０９が接続されており、キーパッド１２０からは信号ケーブル１０６を介してフイルムプレーヤ１００を制御するための各種の操作信号がフイルムプレーヤ１００に出力され、フイルムプレーヤ１００からは信号ケーブル１０８を介して映像信号がモニタＴＶ１０９に出力される。
【００１４】
フイルムカートリッジ１１０は、図２に示すように単一のスプール１１２を有し、このスプール１１２に写真フイルム１１４が巻回されている。この写真フイルム１１４には、各フレームの位置を示すパーフォレーション１１４Ａが穿設されている。また、写真フイルム１１４には透明磁気記録層が設けられており、その縁部に磁気トラック１１４Ｂと１１４Ｃが形成されるようになっている。尚、磁気トラック１１４ＢはラボやＤＰＥ取次店で使用されるトラックであり、磁気トラック１１４Ｃはユーザーが使用するトラックである。
【００１５】
ここで、１ロールのフイルムのうち、第１フレームの位置を示すパーフォレーション１１４Ａよりもフイルム先端側をリーダー部といい、磁気トラック１１４Ｃのうちのリーダー部の磁気トラックをリーダートラックＬ１，Ｌ２といい、また、第１フレームの位置を示すパーフォレーション１１４Ａよりも後端側をフレーム部といい、フレーム部の磁気トラックをフレームトラックという。そして、リーダートラックには１ロール全体の磁気情報が記録され、フレームトラックにはフレーム毎の磁気情報が記録される。
【００１６】
尚、これらのトラックには、磁気ヘッドを有するカメラやフイルムプレーヤ１００等によって磁気情報が記録される。カメラによって記録される磁気情報としては、例えば、撮影条件、疑似ズーム情報、フレーム番号、ハイビジョン画像、パノラマ画像及び通常画像のいずれかを示すプリントフォーマット、撮影日／時刻等が考えられるが、その他、カメラによって多種類の情報を記録することができる。また、写真フイルム１１４には、被写体光によって露光されるフレーム領域以外にフイルムタイプ、フレーム番号等を示すバーコードや、撮影時にカメラ内蔵の光源によってプリントフォーマット等を示すデータを光学的に記録することができる。更に、現像処理された写真フイルム１１４はフイルムカートリッジ１１０に巻き取られ、これにより保管できるようになっている。
【００１７】
図３は上記フイルムプレーヤ１００の内部構成の一実施例を示すブロック図である。このフイルムプレーヤ１００は、主として照明用の光源１３０、撮影レンズ１３６、ＣＣＤラインセンサ１４２を含むＣＣＤ回路ユニット１４０、第１信号処理回路１５１、第２信号処理回路１５２、第３信号処理回路１５３、メモリ制御回路１５４、ＣＣＤバッファＭ１、表示バッファＭ２、中央処理装置（ＣＰＵ）１６０、フイルム駆動メカ１７０、光学データ読取装置１８０、磁気記録再生装置１８２等を備えている。
【００１８】
光源１３０は、例えばフイルム１１４の給送方向と直交する方向に長い蛍光灯からなり、赤外カットフィルタ１３２を介してフイルム１１４を照明する。フイルム１１４を透過した画像光は、単焦点の撮影レンズ１３６を介してＣＣＤラインセンサ１４２の受光面に結像される。尚、ＣＣＤラインセンサ１４２によるフイルム画像の撮像中には、フイルム１１４はフイルム駆動メカ１７０によって一定速度で矢印Ａ方向（以下、順方向という）又は矢印Ｂ方向（以下、逆方向という）に移動させられるが、このフイルム駆動の詳細については後述する。
【００１９】
ＣＣＤラインセンサ１４２はフイルム給送方向と直交する方向に配設されている。そして、ＣＣＤラインセンサ１４２の受光面に結像された画像光は、Ｒ，Ｇ，Ｂフィルタを有する各センサで所定時間電荷蓄積され、光の強さに応じて量のＲ，Ｇ，Ｂの信号電荷に変換される。このようにして蓄積された信号電荷は、ＣＣＤ駆動回路１４４から加えられる所定周期のリードゲートパルスによってシフトレジスタに読み出され、レジスタ転送パルスによって順次読み出される。
【００２０】
このようにしてＣＣＤラインセンサ１４２から読み出された信号電荷は、ＣＤＳクランプによってクランプされてＲ，Ｇ，Ｂ信号としてアナログ処理回路１４６に加えられ、ここでＲ，Ｇ，Ｂ信号のゲイン等が制御される。アナログ処理回路１４６から出力されるＲ，Ｇ，Ｂ信号はマルチプレクサ１４８によって点順次化され、Ａ／Ｄコンバータ１５０によってデジタル信号に変換されたのち、第１信号処理回路１５１及びＣＰＵ１６０に加えられる。
【００２１】
第１信号処理回路１５１は、白バランス調整回路、ネガポジ変転回路、γ補正回路及びＲＧＢ同時化回路等を含み、順次入力する点順次のＲ，Ｇ，Ｂ信号を各回路で適宜信号処理したのち、同時化したＲ，Ｇ，Ｂ信号を第２信号処理回路１５２に出力する。尚、第１信号処理回路１５１における白バランス調整回路は、ＣＰＵ１６０から加えられる制御信号に基づいて行う。
【００２２】
第２信号処理回路１５２はマトリクス回路を有し、入力するＲ，Ｇ，Ｂ信号に基づいて輝度信号Ｙ及びクロマ信号Ｃｒ／ｂ  を生成し、これらをメモリ制御回路１５４に出力する。
メモリ制御回路１５４は、上記輝度信号Ｙ及びクロマ信号Ｃｒ／ｂ  のＣＣＤバッファＭ１への書込み／読出しを制御するとともに、ＣＣＤバッファＭ１に記憶された輝度信号Ｙ及びクロマ信号Ｃｒ／ｂ  の表示バッファＭ２への書込み／読出しを制御する。
【００２３】
メモリ制御回路１５４によって表示バッファＭ２から読み出される輝度信号Ｙ及びクロマ信号Ｃｒ／ｂ  は、第３信号処理回路１５３に加えられる。第３信号処理回路１５３は、入力する輝度信号Ｙ及びクロマ信号Ｃｒ／ｂ  に基づいて例えばＮＴＳＣ方式のカラー複合映像信号を生成し、これをＤ／Ａコンバータ１５６を介してビデオ出力端子１５８に出力する。尚、メモリ制御回路１５４、第３信号処理回路１５６及びＤ／Ａコンバータ１５６には同期信号発生回路１５９から所定周期の同期信号がそれぞれ加えられており、これにより各回路の同期がとられるとともに所要の同期信号を含む映像信号が得られるようにしている。また、ＣＣＤ回路ユニット１４０、Ａ／Ｄコンバータ１５０、第１信号処理回路１５１、第２信号処理回路１５２及びメモリ制御回路１５４にはＣＰＵ１６０によって制御されるタイミング信号発生回路１６２からタイミング信号がそれぞれ加えられており、これにより各回路の同期がとられている。
【００２４】
フイルム駆動メカ１７０は、フイルムカートリッジ１１０のスプール１１２と係合し、そのスプール１１２を正転／逆転駆動するフイルム供給部と、このフイルム供給部から送出されるフイルム１１４を巻き取るフイルム巻取部と、フイルム搬送路に配設され、フイルム１１４をキャプスタンとピンチローラとで挟持してフイルム１１４を一定速度で送る手段とから構成されている。尚、上記フイルム供給部は、フイルムカートリッジ１１０のスプール１１２を図３上で時計回り方向に駆動し、フイルム先端がフイルム巻取部によって巻き取られるまでフイルムカートリッジ１１０からフイルム１１４を送り出すようにしている。
【００２５】
光学データ読取装置１８０は、フイルム１１４のパーフォレーション１１４Ａを光学的に検出する第１の光センサ１８０Ａと、フイルム縁部に書き込まれているバーコード等の光学データを光学的に検出する第２の光センサ１８０Ｂとを含み、これらの光センサ１８０Ａ、１８０Ｂを介して検出した光学データを処理してＣＰＵ１６０に出力する。
【００２６】
磁気記録再生装置１８２は磁気ヘッド１８２Ａを含み、磁気ヘッド１８２Ａを介してフイルム１１４の磁気トラック１１４Ｃに記録されている磁気データを読み取り、その磁気データを処理してＣＰＵ１６０に出力してシステムランダムアクセスメモリ（システムＲＡＭ）１２４に記録し、また、ＣＰＵ１６０のシステムＲＡＭ１２４に記録されたデータを読み出し、これを磁気記録に適した信号に変換したのち磁気ヘッド１８２Ａに出力し、フイルム１１４の磁気トラック１１４Ｃに記録する。
【００２７】
ＣＰＵ１６０には、前記キーパッド１２０、システムＲＡＭ１２４の他に、不揮発性メモリ１２２が接続されている。
不揮発性メモリ１２２には、これまでにフイルムプレーヤで使用されたフイルムに関する磁気情報が記録され、この不揮発性メモリ１２２はデータのバックアップ用メモリとして使用される。
【００２８】
ここで、上記フイルムプレーヤで使用するフイルムの磁気トラックの記録フォーマットを説明する。
図２に示したように、ユーザーが使用する磁気トラック１１４Ｃのうちのリーダー部のリーダートラックＬ１，Ｌ２の記録フォーマットを図８に示す。
同図において、Ｓｙｎｃは同期信号、ＳＳはスタート信号、ＶＩは記録方式のバージョンを示すデータ、ＩＤ１，ＩＤ２  はデータフィールドの種類及びデータフィールドに含まれる情報の種類を規定するデータ、ＬＮＧ  はデータフィールド全体のデータ長を規定するデータ、ＬＲＣ  はデータフィールド全体のエラーチェック・訂正に使用するデータ、及びＥＳはエンド信号を示すデータが記録される領域である。そして、領域ＬＮＧ  と領域ＬＲＣ  との間に、ユーザー領域が設けられている。
【００２９】
リーダートラックＬ１のユーザー領域には、例えばロールタイトル等が記録される。また、リーダートラックＬ２のユーザー領域は、その先頭に４バイトのメーカー識別コード領域と、２バイトの機能選択テーブルＦＴ１，ＦＴ２  が設けられ、その次に他のデータを記録する領域が設けられている。
ここで、上記メーカー識別コード領域には、２バイトのメーカー固有のメーカーコードＭＫが記録されるとともに、次段にそれぞれ１バイトの分類コードＣＬ及びバージョン管理ナンバーＶＥが記録される。分類コードＣＬはメーカー固有の分類（例えば、機器のナンバー）を示すデータであり、バージョン管理ナンバーＶＥはサービス内容を示すデータである。即ち、フイルムプレーヤ１００は、バージンフイルム（リーダートラック等に磁気記録されていないフイルム）がセットされた場合、あるいはユーザーの意思による命令があったときに、メーカー識別コード領域に、予め設定されているメーカーコードＭＫ、分類コードＣＬ及びバージョン管理ナンバーＶＥを自動的に記録する。
【００３０】
従って、フイルムプレーヤや他の機器等によってリーダートラックＬ２のメーカー識別コードを読み取ることにより、どのメーカーの、どのサービスが提供されているかを、機器、ユーザー、ラボで認識することができる。即ち、読み取ったメーカー識別コードによって、機器やラボで対応できるか否かを判断することができ、対応できない場合には、機器においては警告を発し、間違ったサービスや磁気記録ができないようにすることができ、ラボにおいては対応できるラボに回したり、ユーザーにその旨を伝えて返却し、誤ったプリントサービスが発生しないようにすることができる。
【００３１】
また、メーカー識別コード領域の次の２バイトの機能選択テーブルＦＴ１，ＦＴ２  には、ユーザーによって選択した所望のサービス（自動再生、ホームプリント、ラボへの注文等のいずれかのサービス）を示す機能選択コードが記録される。そして、各フレームトラックには、機能選択テーブルＦＴ１，ＦＴ２  に記録されるサービスに対応したデータのみが記録される。これにより、フレームトラックの限られた磁気記録容量にもかかわらず、個別のサービスを十分に受けられる。
【００３２】
更に、機能選択は、大分類と、大分類を細分化する小分類とに区分され区分され、前記機能選択テーブルＦＴ１，ＦＴ２  にはそれぞれ大分類と小分類を示す機能選択コードが記録される。例えば、大分類でＴＶスライドショーを選択した場合には、小分類で全自動再生（フイルム挿入時に機器が自動的に機器の設定にしたがった再生）、自動再生（ユーザーの設定にしたがった再生）の二者択一をさせ、これによりフレームトラックでの記録内容を変えることにより、十分なサービスが受けられるようにする。
【００３３】
尚、自動再生時に設定する項目としては、前述した項目が考えられるが、小分類で全自動再生と自動再生とを選択した場合には、例えば、以下のように各トラックに記録される情報が区分される。
＜全自動再生＞
リーダートラック：自動色補正情報の機器互換データ、再生開始フレーム番号情報
フレームトラック：自動色補正情報、フレームの縦横情報、再生終了フレーム番号情報、次に移動するフレーム番号情報、未再生フレーム指定情報、再生時の音声情報、文字情報、撮影日時情報、文字表示指定情報
＜自動再生＞
リーダートラック：色補完情報、再生開始フレーム番号情報
フレームトラック：色補正情報、特殊モニタ効果情報、クローズアップ情報、フレームの縦横情報、画面切替え情報、画面内の移動情報、画面表示時間情報、再生終了フレーム番号情報、次に移動するフレーム番号情報、未再生フレーム指定情報、再生時の音声情報、文字情報、撮影日時情報、文字表示指定情報
また、ラボへの注文機能を選択した場合に入力するラボへの注文情報としては、以下の情報がある。
＜リーダートラックに記録する内容＞
・ロールタイトル情報：    ：フイルム全体のタイトル情報
・ロールタイトル印字情報  ：印字の有無、印字色、印字位置（表裏…）、字  体（白抜き、ハーフ、背景処理無し…）の指定情報・特殊プリントの注文情報  ：インデックスプリント、ポストカードプリントの有無、枚数の情報等
・面種情報                ：絹目、光沢等の指定情報
・プリントサイズ情報      ：ＥＣ、Ｌ、ＫＧ、４切、半切、全切等の指定情報
・各種注文プリント枚数情報：プリント枚数の総数、各サイズ別のプリント枚数クローズアップ指定のプリント枚数、タイトル／日時指定のプリント枚数の情報
・注文フレーム指定情報    ：各フレーム（例えば１〜４０フレーム）の再プリント有無の指定情報
＜フレームトラックに記録する内容＞
・再プリント枚数情報      ：各フレームの再プリント枚数の情報
・フレームタイトル情報    ：各フレーム毎のタイトル情報
・フレームタイトル印字情報：印字の有無、印字色、印字位置、字体の指定情報・撮影日時の印字情報      ：年月日の情報
・クローズアップ情報      ：倍率、中心位置
・プリントフォーマット    ：Ｌ、Ｈ、Ｐの各フォーマットの指定情報
・天地左右情報            ：プリント時の天地左右情報（タイトル、日時の印字方向）
・色補正情報              ：再プリント時のユーザーからの色補正指定情報（赤み、暗め…）
以上のようなフイルムの記録フォーマットによると、機能選択コードで選択した機能によってフレームトラックの磁気情報の内容が異なるため、新たに別の機能に対応する磁気情報をフイルムに記録すると、これまでフレームトラックに記録されていた磁気情報は失われる。
【００３４】
例えば、自動再生機能を選択して自動再生情報が設定保存されているときに、同じフイルムを使用してラボへの注文情報を記録する場合には、注文情報が先の自動再生情報に上書きされるため、自動再生情報は磁気情報としては失われる。そこで、上記フイルムプレーヤは、フイルムにラボへの注文情報を記録する際に、フイルムプレーヤ内部に設けた不揮発性メモリ１２２に前記自動再生情報を保存しておくことができるようになっている。そして、注文終了後に戻ってきたフイルムで再度前記自動再生を行うことは、不揮発性メモリ１２２から読み出すことによって可能であり、ユーザーの意図により再度磁気情報として書き込むことも可能である。
【００３５】
フイルムプレーヤに内蔵された不揮発性メモリ１２２は、複数のフイルムに関する情報を記録するため、所望のフイルムに関する情報がどのメモリ領域に保管されているかをＣＰＵ１６０が自動的に認識できるようにメモリ内に以下に示すようなテーブルを作成している。
図４は不揮発性ＲＡＭ１２２のメモリフォーマットの第１の実施例を示す説明図である。
【００３６】
同図に示すように、不揮発性メモリ１２２のメモリはテーブル領域と情報格納領域とに分けられている。テーブル領域は更にフイルムのＩＤ番号（以後、Ｆ−ＩＤという）を記録するフイルムＩＤ記録領域とポインタを記録するポインタ記録領域に分けらている。
フイルムＩＤ記録領域のメモリ容量とポインタ記録領域のメモリ容量を等しくなるように分けられており、フイルムＩＤ記録領域のメモリとポインタ記録領域のメモリとは１対１に対応付けられてれている。
【００３７】
ＣＰＵ１６０はフイルムに関する情報を新たに情報格納領域の空き領域に記録すると、このフイルムのリーダー部に記録されているバーコードから読み取ったＦ−ＩＤ番号をフイルムＩＤ記録領域の空きメモリに記録するとともに、このＦ−ＩＤ番号を記録したメモリに対応するポインタ記録領域のメモリにこのフイルムに関する情報を記録したメモリ領域の先頭アドレス（即ちポインタ）を記録する。
【００３８】
所望のフイルムに関する情報を不揮発性メモリ１２２から読み出す際にはフイルムのＦ−ＩＤ番号をフイルムから読み取り、このＦ−ＩＤ番号に一致するＦ−ＩＤ番号を不揮発性メモリ１２２から検索する。そして、一致するＦ−ＩＤ番号を所定のメモリから検出すると、メモリに対応するポインタ記録領域のメモリからポインタを読み取り、このポインタの示す情報格納領域内のメモリ領域からデータを読み出す。これによって、所望のフイルムに対応する磁気情報を自動的に不揮発性メモリ１２２から読み出すことができる。
【００３９】
図５は不揮発性ＲＡＭ１２２のメモリフォーマットの第２の実施例を示す説明図である。
同図に示すように、第１の実施例と同様に不揮発性メモリ１２２のメモリはテーブル領域と情報格納領域とに分けられている。テーブル領域にはポインタが記録され（従って、テーブル領域はポインタ記録領域に等しい）、テーブル領域のそれぞれのメモリにはコード（以後、管理コードという）があらかじめ設定されている。管理コードには例えば１バイトで表される数が使用される。
【００４０】
ＣＰＵ１６０はフイルムに関する情報を新たに情報格納領域の空き領域に記録すると、このフイルムに関する情報を記録したメモリ領域の先頭アドレス（即ちポインタ）をテーブル領域（ポインタ記録領域）の空きメモリに記録する。そして、このポインタを記録したメモリの管理コードをフイルムのリーダー部に記録する。この管理コードは、例えば図８で示したリーダートラックＬ２のユーザー領域内に記録される。
【００４１】
所望のフイルムに関する情報を不揮発性メモリ１２２から読み出す際にはフイルムのリーダー部から管理コードを読み取り、この管理コードに対応するメモリからポインタを読み取る。そして、ポインタの示す情報格納領域内のメモリ領域からデータを読み出す。
これによって、所望のフイルムに対応する磁気情報を自動的に不揮発性メモリ１２２から読み出すことができる。
【００４２】
尚、上記第１及び第２の実施例においてテーブル領域のメモリ量には限りがあるため、情報を記録できるフイルムの数にも限界がある。そこで、もし、この限界に達したときには古いフイルムの情報を消去し新しいフイルムの情報を記録する。
次に、上記構成のフイルムプレーヤ１００において、フイルムの磁気トラックに記録されている磁気情報を変更する手順を説明する。
【００４３】
図６は、図４に示した不揮発性メモリ１２２のメモリフォーマットの上記第１の実施例に従って行う場合のフローチャートである。
尚、このフローチャートに示すフイルムプレーヤ１００は、フイルム画像をモニタＴＶ１０９に再生させる自動再生機能とラボへの注文情報を編集する機能を有しており、これらの機能をキーパッド又は図示しない機能選択手段によって適宜選択できるようになっている。
【００４４】
先ず、フイルムカートリッジ１１０をフイルムカートリッジトレー１０２にセットすると、ＣＰＵ１６０はフイルム駆動メカ１７０を制御してフイルムローディングを実行する（ステップＳ１００）。即ち、フイルムカートリッジ１１０からフイルム１１４を送り出し、フイルム先端をフイルム巻取部の巻取軸に巻き付ける。
【００４５】
フイルムローディングが完了すると、まず第１のプリスキャンを行う。即ち、フイルム１１４を順方向に高速で給送し、フイルム１１４から光学データ及び磁気データを読み取る。このときリーダートラックにおいてバーコードで記録されたフイルムのＩＤ番号（Ｆ−ＩＤ）を光学データ読取装置１８０によって読み取る（ステップＳ１０２）。尚、Ｆ−ＩＤ番号が磁気データで記録されている場合には磁気記録再生装置１８２によって読み取る。
【００４６】
また、フレームトラックにおいては磁気データを磁気記録再生装置１８２によって読み取るとともに、ＣＣＤラインセンサ１４２を介して画像データを取込みＡＥ／ＡＷＢデータを作成する（ステップＳ１０４）。このとき、フイルムの磁気トラックから読み取った磁気情報はすべてシステムＲＡＭ１２４に記録され、ＡＥ／ＡＷＢデータ等は図示しないＣＰＵ１６０内部のＲＡＭに記録される。
【００４７】
次に、上記第１のプリスキャン時に取り込んだ画像データに基づいてフイルム１１４の第２のプリスキャンを実行する。第２のプリスキャン時にはフイルム１１４を逆方向に高速で巻き戻し、再びＣＣＤラインセンサ１４２を介して画像データを取り込む。この画像データの取込み時には、ＣＰＵ１６０は、システムＲＡＭ１２４に記憶したＡＥデータに基づいて絞り制御装置１６４を介して各フレーム毎に絞り１３４を制御する。
【００４８】
また、ＣＰＵ１６０は、第１信号処理回路１５１において、各フレーム毎にＲ，Ｇ，Ｂ信号のオフセット量及び白バランスの調整を行わせる。即ち、ＣＰＵ１６０は、ＲＡＭ１２４に記憶した各フレームの色信号毎のオフセットデータを第１信号処理回路１５１に出力し、第１信号処理回路１５１はこのオフセットデータに基づいて点順次のＲ，Ｇ，Ｂ信号のオフセット量を調整する。同様に、ＣＰＵ１６０は、内部のＲＡＭに記憶した各フレームの色信号毎のＡＷＢデータを第１信号処理回路１５１に出力し、第１信号処理回路１５１はこのＡＷＢデータに基づいて点順次のＲ，Ｇ，Ｂ信号のゲインを調整する。
【００４９】
このようにして調整された各フレームの画像データ、即ち、第２信号処理回路１５２から出力される輝度信号Ｙ及びクロマ信号Ｃｒ／ｂ  は、メモリ制御回路１５４を介してＣＣＤバッファＭ１に順次記憶される。そして、ＣＣＤバッファＭ１は、４０フレーム分の画像データを記憶する。即ち、ＣＣＤバッファＭ１には、４０フレーム分のインデックス画像を示す画像データ（以下、インデックス画像データという）が記憶されることになる。
【００５０】
表示バッファＭ２は、上記インデックス画像データを記憶する場合には、２０フレーム分の画像データを記憶する。そして、インデックス画像をモニタＴＶ１０９に表示させる場合には、表示バッファＭ２の画像データが読み出される。
尚、表示バッファＭ２には１度に２０フレーム分の画像データしか記憶できないため、インデックス画像をスクロール又は画面切り替えを行うことによって４０フレーム分のインデックス画像を表示する。
【００５１】
上記のようにしてインデックス画像を作成し、インデックス画像をモニタＴＶ１０９に表示すると（ステップＳ１０６）、ユーザによってフイルムの磁気トラックに新しく記録する機能の選択が行われる。即ち、フイルムの磁気トラックに自動再生情報を記録するのかラボへの磁気情報を記録するのかが選択される。このときフイルムのリーダートラックに記録されていた機能選択コードの示す機能とユーザが編集する機能とを対比し、ユーザがフイルムに記録されていた機能と異なる機能を選択したか否かを判断する（ステップＳ１０８）。
【００５２】
もし、同じ機能を選択したと判断した場合には、ステップＳ１２０に移る。一方、異なる機能を選択したと判断した場合にはバーコードから読み取ったフイルムのＦ−ＩＤ番号と一致するＦ−ＩＤ番号が不揮発性メモリ１２２のテーブル領域に記録されているか否かを判断する（ステップＳ１１０）。このとき、一致するＦ−ＩＤ番号があれば、このＦ−ＩＤ番号が記録されているメモリに対応するポインタ記録領域からポインタを読み出し、このポインタの示す情報格納領域のメモリ領域からデータをシステムＲＡＭ１２４に転送するとともに、システムＲＡＭ１２４に記録されているフイルムの磁気トラックから読み取った磁気情報を不揮発性メモリ１２２に転送する（ステップＳ１１２）。即ち、システムＲＡＭ１２４と不揮発性メモリ１２２に記録されている磁気情報を交換する。
【００５３】
一方、ステップＳ１１０において一致するＦ−ＩＤ番号が無かった場合にはシステムＲＡＭ１２４に記録されている磁気情報（フイルムの磁気トラックに記録されていた磁気情報）を情報格納領域の空き領域に記録し（ステップＳ１１４）、前述したようにテーブル領域のフイルムＩＤ記録領域の空きメモリにフイルムのＩＤ番号を記録するとともにこのメモリに対応するポインタ記録領域に磁気情報を記録したメモリ領域の先頭アドレス（ポインタ）を記録する（ステップＳ１１６）。このとき、システムＲＡＭ１２４にはフイルムの磁気トラックに記録されていた磁気情報がそのまま残っているため、システムＲＡＭ１２４に記録されている機能選択コードを新しく編集する機能を示す機能選択コードに変更する（ステップＳ１１８）。
【００５４】
その後、ユーザによって各コマの磁気情報の編集が行われ、不揮発性メモリ１２２に記録されている各コマの磁気情報の内容が変更されると、それに伴ってシステムＲＡＭ１２４に記録されている各コマに対応するフレームトラックの磁気情報を書き換える（ステップＳ１２０）。
そして、全ての磁気情報の編集が終了し、フイルムカートリッジトレー１０２からフイルムカートリッジの取り出しが行われる際には、フイルムを一定速度で巻き戻し方向に搬送しながら、システムＲＡＭ１２４に記録されている磁気情報をフイルムの磁気トラックに記録する（ステップＳ１２２）。
【００５５】
以上の操作によって、フイルムに記録されていた磁気情報を不揮発性メモリ１２４に保管しておくことができ、不揮発性メモリ１２４に保管しておいた磁気情報を再びフイルムに戻すことが可能となる。
図７は、図５に示した不揮発性メモリ１２２のメモリフォーマットの上記第２の実施例に従って行う場合のフローチャートである。
【００５６】
手順は図６のフローチャートと同様に行われる。ただし、不揮発性メモリ１２２からの情報の読み取り、ステップＳ２０２においてフイルムのリーダートラックから読み取った管理コードを用いて行っている。また、不揮発性メモリ１２２に磁気情報を記録した場合にはステップＳ２２２においてこのメモリ領域を示す管理コードをフイルムのリーダートラックに記録している。
【００５７】
尚、上記図６、７のフローチャートではフイルムプレーヤが自動再生機能とラボへの注文情報を編集する機能の２通りの機能を搭載している場合について示したが、フイルムプレーヤが更に多くの機能を搭載している場合についても同様の手順でフイルムのＩＤ番号又は管理コードを用いてフイルムに記録されていた磁気情報を外部記録媒体に保管しておくことができる。
【００５８】
【発明の効果】
以上説明したように本発明に係る磁気記録可能なフイルムのデータ保管方法によれば、フイルムの磁気記録層に記録されている磁気情報をこの磁気情報の機能とは異なる機能に対応する磁気情報に変更する際に、フイルムの磁気記録層に記録されている磁気情報を外部記録媒体に記録するとともに、フイルムのＩＤ番号又は管理コードによって磁気情報を記録したメモリ領域を判別可能にすることによって、複数のフイルムに関する磁気情報を簡単に管理することができ、フイルムの磁気記録層に記録されている磁気情報の保管及び外部記録媒体に記録されている磁気情報の読み出しを自動的に行うことができるようになる。
【図面の簡単な説明】
【図１】図１は本発明が適用されるフイルムプレーヤの外観図である。
【図２】図２は図１に示したフイルムプレーヤに適用されるフイルムカートリッジの一例を示す図である
【図３】図３は図１に示したフイルムプレーヤの内部構成の一実施例を示すブロック図である。
【図４】図４は不揮発性メモリのメモリフォーマットの第１の実施例を示す説明図である。
【図５】図５は不揮発性メモリのメモリフォーマットの第２の実施例を示す説明図である。
【図６】図６は図４の第１の実施例によるメモリフォーマットを用いた磁気情報の保管方法を示すフローチャートである。
【図７】図７は図５の第１の実施例によるメモリフォーマットを用いた磁気情報の保管方法を示すフローチャートである。
【図８】図８はフイルムリーダー部のリーダートラックＬ１，Ｌ２の記録フォーマットを示す図である。
【符号の説明】
１００…フイルムプレーヤ
１０９…モニタＴＶ
１１０…フイルムカートリッジ
１１４…写真フイルム
１１４Ｂ、１１４Ｃ…磁気トラック
１２０…キーパッド
１２２…不揮発性メモリ
１２４…システムＲＡＭ
１３０…光源
１３５…撮影レンズ
１４２…ＣＣＤラインセンサ
１５１…第１信号処理回路
１５２…第２信号処理回路
１５３…第３信号処理回路
１５４…メモリ制御回路
１６０…中央処理装置（ＣＰＵ）
１７０…フイルム駆動メカ
１８０…光学データ読み取り装置
１８２…磁気記録再生装置
Ｍ１…ＣＣＤバッファ
Ｍ２…表示バッファ
Ｌ１、Ｌ２…リーダートラック
【図１】
0003620663.tif 000002
【図２】
0003620663.tif 000003
【図３】
0003620663.tif 000004
【図４】
0003620663.tif 000005
【図５】
0003620663.tif 000006
【図６】
0003620663.tif 000007
【図７】
0003620663.tif 000008
【図８】
0003620663.tif 000009